(57)【要約】【課題】  立設状態の支柱に対して棚板を着脱することによってラックを簡単に組み立てる。【解決手段】  天井と床面との間に立設された伸縮自在な支柱２と、幅方向中央に支柱２と着脱自在な嵌合溝３１ａが形成された垂直部３１および該垂直部３１の嵌合溝３１ａを挟んでその下端縁から水平方向に折曲された水平部３２を有する金属板製の複数枚の棚板３と、から構成される。そして、支柱２に複数枚の棚板３を嵌合溝３１ａを介して順次嵌合し、上下方向に積み重ねる。【選択図】  図１
2005261819.tif 000002
【特許請求の範囲】
【請求項１】
天井と床面との間に立設された伸縮自在な支柱と、幅方向中央に支柱と着脱自在な嵌合溝が形成された垂直部および該垂直部の嵌合溝を挟んでその下端縁から水平方向に折曲された水平部を有する金属板製の複数枚の棚板と、からなり、前記支柱に複数枚の棚板が嵌合溝を介して嵌合されて上下方向に積み重ねられていることを特徴とするラック。
【請求項２】
天井と床面との間に立設された伸縮自在な複数本の支柱と、幅方向中間に支柱と着脱自在な嵌合溝が形成された垂直部および該垂直部の嵌合溝を挟んでその下端縁から水平方向に折曲された水平部を有する金属板製の複数枚の棚板と、からなり、前記複数本の支柱は、その中心が同一垂直面上に位置するように設定間隔をおいて立設され、各支柱にそれぞれ複数枚の棚板が嵌合溝を介して嵌合されて上下方向に積み重ねられていることを特徴とするラック。
【請求項３】
前記棚板の垂直部の左右各端縁近傍に、サイドガードを着脱自在な１個もしくは複数個の取付穴が形成されていることを特徴とする請求項１または２記載のラック。
【請求項４】
前記棚板の垂直部に、１個または複数個の通風穴が形成されていることを特徴とする請求項１乃至３のいずれかに記載のラック。
【発明の詳細な説明】
【技術分野】
【０００１】
この発明は、商品などの展示に好適なラックに関するものである。
【背景技術】
【０００２】
従来より、商品などを展示するため、天井と床面との間に支柱を立設し、支柱に棚板を固定してラックを組み立てることが知られている。例えば、特許文献１には、伸縮パイプに筒状の棚板固定具を摺動自在に嵌挿するとともに、棚板を摺動自在に嵌挿し、棚板固定具の外径部を棚板の固定孔に強制的に圧入することにより、棚板固定具を狭窄縮径させて伸縮パイプに圧着固定させるラックが記載されている。また、特許文献１の従来技術欄には、棚板にねじ部材を設け、伸縮パイプに嵌挿した棚板をねじ部材を介して固定するラックが記載されている。
【特許文献１】登録実用新案第３０５０４５０号公報
【発明の開示】
【発明が解決しようとする課題】
【０００３】
ところで、前述したラックにおいては、伸縮パイプに棚板を嵌挿した後、伸縮パイプを建て込まなければならず、建て込み作業に棚板が邪魔になる。特に、伸縮パイプに複数枚の棚板を取り付ける場合は、棚板を仮止めした後、支柱を建て込んで各棚板を固定しなければならず、作業が煩雑となる。また、ラックを撤去する場合も、棚板が装着された状態で伸縮パイプを離脱させる必要があり、棚板が邪魔になって不安定な作業を強いられるものである。
【０００４】
本発明は、このような問題点に鑑みてなされたもので、立設状態の支柱に対して棚板を着脱することによって簡単に組み立てることのできるラックを提供するものである。
【課題を解決するための手段】
【０００５】
本発明は、天井と床面との間に立設された伸縮自在な支柱と、幅方向中央に支柱と着脱自在な嵌合溝が形成された垂直部および該垂直部の嵌合溝を挟んでその下端縁から水平方向に折曲された水平部を有する金属板製の複数枚の棚板と、からなり、前記支柱に複数枚の棚板が嵌合溝を介して嵌合されて上下方向に積み重ねられていることを特徴とするものである。
【０００６】
本発明によれば、支柱を天井と床面にわたって立設した後、支柱に嵌合溝を介して複数枚の棚板を順次嵌め込んでいくことにより、簡単にラックを組み立てることができる。この場合、支柱に対して各棚板を回転させることにより、棚板の水平部の向きが変化し、商品の展示形態を簡単に変更することができる。一方、支柱から嵌合溝による嵌合状態の複数枚の棚板を順次離脱させることにより、ラックを簡単に分解することができる。
【０００７】
本発明は、天井と床面との間に立設された伸縮自在な複数本の支柱と、幅方向中央に支柱と着脱自在な嵌合溝が形成された垂直部および該垂直部の嵌合溝を挟んでその下端縁から水平方向に折曲された水平部を有する金属板製の複数枚の棚板と、からなり、前記複数本の支柱は、その中心が同一垂直面上に位置するように設定間隔をおいて立設され、各支柱にそれぞれ複数枚の棚板が嵌合溝を介して嵌合されて上下方向に積み重ねられていることを特徴とするものである。
【０００８】
本発明によれば、中心が同一垂直面上に位置するように設定間隔をおいて複数本の支柱を天井と床面にわたって順次立設した後、各支柱に嵌合溝を介して複数枚の棚板を順次嵌め込んでいくことにより、簡単にラックを組み立てることができる。この際、各支柱に対して各棚板を回転させることにより、あるいは、支柱毎に各棚板を回転させることにより、商品の展示形態を簡単に変更することができる。一方、各支柱から嵌合溝による嵌合状態の複数枚の棚板をそれぞれ離脱させることにより、ラックを簡単に分解することができる。
【０００９】
本発明において、前記棚板の垂直部の左右各端縁近傍に、サイドガードを着脱自在な１個もしくは複数個の取付穴が形成されていると、必要に応じてサイドガードを装着することができ、棚板から商品などが脱落するのを防止することができる。
【００１０】
本発明において、前記棚板の垂直部に、１個または複数個の通風穴が形成されていると、棚板の垂直部に作用する風を逃がすことができる。
【発明の効果】
【００１１】
本発明によれば、立設状態の支柱に対して棚板を着脱することにより簡単にラックを組み立てることができる。
【発明を実施するための最良の形態】
【００１２】
以下、本発明の実施の形態を図面に基づいて説明する。
【００１３】
図１には、本発明のラック１の一実施形態の基本構成が示されている。
【００１４】
このラック１は、天井と床面間に立設される伸縮自在な支柱２と、支柱２に摺動自在に嵌合可能な鋼板製の棚板３と、から構成されている。
【００１５】
支柱２は、ねじとスプリングを併用した従来公知の突っ張り棒であって、断面円形状の外周面を有している他、下端部に図示しないストッパが設けられている。
【００１６】
棚板３は、図２に示すように、垂直部３１および該垂直部３１の下端縁に連設された水平部３２を有してＬ字状に折曲されており、垂直部３１の幅方向の中間部には、支柱２の外径よりもわずかに小径の優弧状嵌合溝３１ａが高さ方向にわたって形成されている。また、棚板３における水平部３２の中間部には、垂直部３１の嵌合溝３１ａにおける相対する開口端縁間の間隔に相当する幅の開口部３２ａが前後方向にわたって形成されている。このため、棚板３の水平部３２は、開口部３２ａを挟んで左右に分割されている。
【００１７】
また、棚板３の垂直部３１には、嵌合溝３１ａを挟む左右において、それぞれ通風穴３１ｂが形成されている他、左右各端縁近傍には、上下方向に適宜間隔をおいて複数個の取付穴３１ｃが形成されており、それぞれサイドガード４（図４参照）を装着することができる。
【００１８】
次に、このように構成されたラック１を組み立てる手順について説明する。
【００１９】
まず、天井と床面とにわたって支柱２を立設した後、棚板３の垂直部３１の両端部を把握し、嵌合溝３１ａの相対する開口端縁間の間隔を押し広げるように撓ませ、その水平部３２の開口部３２ａおよび嵌合溝３１ａの開口端縁を通して、嵌合溝３１ａを支柱２に押し付けて嵌合させる（図３参照）。棚板３の嵌合溝３１ａが支柱２に嵌合すれば、棚板３の垂直部３１の撓み動作を中止することにより、嵌合溝３１ａは弾性により元の状態に復帰し、支柱２を挟み付ける。ここで、嵌合溝３１ａの内径は、支柱２の外形よりもわずかに小径であるため、嵌合溝３１ａの内周面は支柱２の外周面にほぼ面接触し、接触摩擦によって脱落することなく保持される。この後、接触摩擦に抗して棚板３を支柱に沿って下方向あるいは上方向に摺動させ、同様に、棚板３の嵌合溝３１ａを順次支柱２に嵌合させれば、支柱２に複数枚の棚板３が順次積み重ねられる。この際、最下段の各棚板３が支柱２のストッパに支持されるとともに、各棚板３がその下段の棚板３の垂直部３１の上端縁に支持されて、それ以上の棚板３の下降が規制される。
【００２０】
この結果、複数枚の棚板３を有するラック１を簡単に組み立てることができ、各棚板３の水平部３２に商品などを配置して展示することができる。
【００２１】
この場合、図４に示すように、支柱２に対して各棚板３を取り付ける場合、水平部３２が上方に位置するように、図１とは上下逆転して取り付けることもできる他、支柱２に対して各棚板３を各別に回転させることもできる。このように、支柱２に対する各棚板３の取付状態を変更すると、棚板３の水平部３２の高さや向きが変化し、商品などの展示形態を簡単に変更することができる。
【００２２】
また、複数本の支柱２を天井と床面とにわたって立設する際、各支柱２の中心線が同一垂直面上に位置するように、かつ、棚板３の幅に相当する間隔をおいて立設し、各支柱２にそれぞれ複数枚の棚板３を取り付けることにより、棚板３の垂直部３１によって、壁面を目隠しすると同時に、多様な展示形態を演出することができる。
【００２３】
例えば、図５および図６に示すように、棚板３の水平部３２が同一方向に指向するように支柱２に棚板３を取り付けたり、図７に示すように、奇数番目の支柱２に取り付ける棚板３の水平部３２の方向と、偶数番目の支柱２に取り付ける棚板３の水平部３２の方向とを１８０度ずらして取り付けたり、図８に示すように、各支柱２に取り付ける棚板３の水平部３２の方向を、奇数番目の棚板３の水平部３２の方向と、偶数番目の棚板３の水平部３２の方向とを１８０度ずらして取り付けることにより、商品などの多様な展示形態を形成することができる。
【産業上の利用可能性】
【００２４】
以上のように本発明によれば、支柱と棚板との組み合わせによって形成されるラックによって、商品や各種コレクションなどの展示に利用することができる。
【図面の簡単な説明】
【００２５】
【図１】本発明のラックの一実施形態を示す斜視図である。
【図２】図１のラックの棚板を示す斜視図である。
【図３】支柱に対して棚板の取付要領を説明する斜視図である。
【図４】図１のラックの変形例を示す斜視図である。
【図５】本発明のラックの他の実施形態を示す斜視図である。
【図６】図５のラックの変形例を示す斜視図である。
【図７】図５のラックの別の変形例を示す斜視図である。
【図８】図５のラックのもう一つの変形例を示す斜視図である。
【符号の説明】
【００２６】
１  ラック
２  支柱
３  棚板
３１  垂直部
３１ａ  嵌合溝
３１ｂ  連通穴
３１ｃ  取付穴
３２  水平部
３２ａ  開口部
４  サイドガード
【図１】
2005261819.tif 000003
【図２】
2005261819.tif 000004
【図３】
2005261819.tif 000005
【図４】
2005261819.tif 000006
【図５】
2005261819.tif 000007
【図６】
2005261819.tif 000008
【図７】
2005261819.tif 000009
【図８】
2005261819.tif 000010